(57)【要約】【課題】様々な漁場や釣り場で効率的且つ簡易に集魚を行う。【解決手段】２０ミリ秒〜２秒間隔で周波数２０Ｈｚ〜２ｋＨｚの音波を２０ミリ秒〜２秒間間欠的に発振して魚を誘き寄せるようにした。【選択図】図１
2008220206.tif 000002
【特許請求の範囲】
【請求項１】
２０ミリ秒〜２秒間隔で周波数２０Ｈｚ〜２ｋＨｚの音波を２０ミリ秒〜２秒間間欠的に発振する音波発振手段を備えることを特徴とする集魚装置。
【請求項２】
前記音波発振手段は、振動により音波を発振させるものである請求項１に記載の集魚装置。
【請求項３】
前記音波発振手段は、音波信号を発生させる電子回路と、前記信号を増幅する増幅手段と、増幅された前記信号を外部出力する発音体とを少なくとも含むものである請求項１に記載の集魚装置。
【請求項４】
前記音波発振手段は、音波信号が記録された記録媒体と、前記記録媒体に記録された信号を読み取る信号読み取り手段と、前記信号を増幅する増幅手段と、増幅された前記信号を外部出力する発音体とを少なくとも含むものである請求項１に記載の集魚装置。
【請求項５】
２０ミリ秒〜２秒間隔で周波数２０Ｈｚ〜２ｋＨｚの音波を２０ミリ秒〜２秒間間欠的に発振して魚を誘き寄せることを特徴とする集魚方法。
【発明の詳細な説明】
【技術分野】
【０００１】
本発明は集魚装置及び集魚方法に関する。さらに詳述すると、本発明は、音波を利用して魚を誘き寄せる集魚装置及び集魚方法に関する。
【背景技術】
【０００２】
魚釣りを行う際に、「こませ」と称される撒き餌を使用して魚を誘き寄せることがある。こませには、例えばアミやイワシミンチなどが一般的に用いられている。漁業の分野においても、撒き餌を使用して集魚が行われることがある。
【０００３】
しかしながら、こませのような撒き餌を利用した魚釣りは、磯や岸壁周辺を汚染し、悪臭等と言った不快な環境をもたらす要因となる。また、撒き餌は海流等の影響で広範囲に拡散しやすいため、所望の場所に効率よく魚を誘き寄せることが難しい。しかも、撒き餌自体が海洋汚染を引き起こしたり、生態系へ悪影響を及ぼすことも懸念される。
【０００４】
そこで、近年、撒き餌に代わる集魚方法として、魚の走光性を利用した集魚方法が各種提案されている。例えば、集魚灯本体の側面の一部または全体に多数のカラー発光ダイオードを装着して海中で点灯させることにより集魚を行う方法（特許文献１）や、複数の発光部と、この複数の発光部を順次点灯させる制御部とを備えるようにして、発光部の発光に連続した動きを与えて魚の好奇心を煽り、集魚効果を高める方法（特許文献２）が提案されている。
【特許文献１】特開２００６−２０４２２３
【特許文献２】特開２００６−３２５４９８
【発明の開示】
【発明が解決しようとする課題】
【０００５】
しかしながら、集魚灯の光が届く範囲は水の透明度に依存するため、一般的に透明度が低い海水中で集魚を行う場合には集魚灯の効果が近距離に制限されてしまう。したがって、集魚灯を用いた集魚方法は、海水中で集魚を行うのに適した方法とは言えない。
【０００６】
また、集魚灯の光が届く範囲内であっても、集魚灯の光が魚の視覚により認識されなければ集魚効果は得られない。例えば、岩礁の間や海藻の生い茂る場所に生息している魚や、集魚灯に背を向けて回遊している魚は、集魚灯の光を認識する確率が低い。このため、集魚灯を用いても効率的に集魚できないのが現状である。
【０００７】
そこで、本発明は、様々な漁場や釣り場で効率的且つ簡易に集魚を行うことができる集魚装置及び集魚方法を提供することを目的とする。
【課題を解決するための手段】
【０００８】
かかる課題を解決するため、本願発明者は、魚の視覚ではなく、聴覚あるいは触覚を利用することで、岩礁の間や海藻の茂る場所に生息している魚や、集魚灯に背を向けて回遊している魚等をも集魚できるのではないかと考えた。そこで、本願発明者は、水中で伝播しやすい「音」に着目した。即ち、魚は音に敏感に反応して逃げ出しやすいことが一般的に知られているが、逆に魚を誘き寄せることができる音もあるのではないかと考え、本願発明者は種々検討を行った。その結果、ミチイト又はテグス等の糸に鉛質の錘を取り付けて海中に沈め、糸を上下させることにより錘を上下させて、錘をある一定のタイミングで海底の岩に打ちつけることにより、魚が群れをなして音の発振源に集合し、その周りを渦を巻くように泳ぎ回ることを見出した。そこで、本願発明者は、ある一定の周波数の音波をある一定のタイミングで発振することにより、優れた集魚効果が得られると考え、さらなる検討を行った。その結果、魚を効果的に誘き寄せることのできる音波の周波数とその発振タイミングとを数値的に特定することに成功し、本願発明に至った。
【０００９】
即ち、本発明の集魚装置は、２０ミリ秒〜２秒間隔で周波数２０Ｈｚ〜２ｋＨｚの音波を２０ミリ秒〜２秒間間欠的に発振する音波発振手段を備えるものである。また、本発明の集魚方法は、２０ミリ秒〜２秒間隔で周波数２０Ｈｚ〜２ｋＨｚの音波を２０ミリ秒〜２秒間間欠的に発振して魚を誘き寄せるようにしている。
【００１０】
したがって、集魚に効果的な音波を発振させて魚を誘き寄せることができる。しかも、音波は水中で伝播しやすく、集魚効果が広範囲に発揮される。
【００１１】
ここで、本発明の集魚装置における音波発振手段は、振動により音波を発振させるものとしてもよいし、音波信号を発生させる電子回路と、この信号を増幅する増幅手段と、増幅された信号を外部出力する発音体とを少なくとも含むものとしてもよい。また、音波信号が記録された記録媒体と、この記録媒体に記録された信号を読み取る信号読み取り手段と、信号を増幅する増幅手段と、増幅された信号を外部出力する発音体とを少なくとも含むものとしてもよい。
【発明の効果】
【００１２】
本発明によれば、音波を間欠的に発振させるという物理的手法により集魚を行うことができるので、海洋汚染を引き起こしたり、生態系へ悪影響を及ぼすことがない。また、音波の伝達は漁場や釣り場の水の透明度に依存することがなく、しかも音波は水中を伝播しやすいことから、様々な漁場や釣り場において集魚効果を広範囲に発揮することができる。しかも、魚の視覚ではなく、聴覚あるいは触覚を利用して集魚を行うので、岩礁の間や海藻の茂る場所に生息している魚や、集魚装置に背を向けて回遊している魚等を誘き寄せることも可能になり、効率的な集魚を行うことが可能となる。
【発明を実施するための最良の形態】
【００１３】
以下、本発明を実施するための最良の形態について、図面に基づいて詳細に説明する。
【００１４】
本発明の集魚方法は、２０ミリ秒〜２秒間隔で周波数２０Ｈｚ〜２ｋＨｚの音波を２０ミリ秒〜２秒間間欠的に発振して魚を誘き寄せるようにしている。
【００１５】
ここで、音波の周波数は、２０Ｈｚ〜２ｋＨｚとすればよく、２０Ｈｚ〜１．５ｋＨｚとすることが好ましく、２０Ｈｚ〜１ｋＨｚとすることがより好ましく、２０Ｈｚ〜５００Ｈｚとすることがさらに好ましく、２０Ｈｚ〜２００Ｈｚとすることが最も好ましい。音波の周波数を２０Ｈｚ未満とした場合には、集魚効果は期待できない。また、周波数帯域を２ｋＨｚ超とした場合にも集魚効果は期待できない。
【００１６】
音波発振時間は、２０ミリ秒〜２秒間とすればよく、２０ミリ秒〜１秒間とすることが好ましく、２０ミリ秒〜５００ミリ秒間とすることがより好ましく、２０ミリ秒〜２５０ミリ秒間とすることがさらに好ましく、２０ミリ秒〜１００ミリ秒間とすることが最も好ましい。音波発振時間を２０ミリ秒未満とした場合には、集魚効果は期待できない。また、発振時間を２秒超とした場合にも集魚効果は期待できない。
【００１７】
音波発振間隔は、２０ミリ秒〜２秒であればよいが、２００ミリ秒〜２秒とすることが好ましく、２００ミリ秒〜１．５秒とすることがより好ましく、２００ミリ秒から１秒とすることがさらに好ましく、４００ミリ秒〜６００ミリ秒とすることが最も好ましい。音波発振時間を２０ミリ秒未満とした場合には、集魚効果は期待できない。また、発振時間を２秒超とした場合にも集魚効果は期待できない。
【００１８】
ここで、音波の周波数、音波発振時間及び音波発振間隔は、上記範囲内で一定値に固定して、間欠的に音波を発振することが好ましい。この場合には、集魚効果をより発揮し易くなる。音波の周波数、音波発振時間及び音波発振間隔が大きくばらつくと、集魚効果を発揮し難くなる。
【００１９】
４００ミリ秒〜６００ミリ秒間隔で周波数２０Ｈｚ〜２００Ｈｚの音波を２０ミリ秒〜１００ミリ秒間間欠的に発振し、音波の周波数、音波発振時間及び音波発振間隔をこの範囲内のある一定の値とすることが最も好ましい。この場合には、魚が音波発振源に直線的に集合すると共に、渦を巻くように泳ぎ回り、最後には腹を見せて踊るように泳ぐようになる。尚、この音波発振条件は、本願発明者が検討した結果、高い集魚効果が得られた音波発振条件を再現するものである。即ち、ミチイト又はテグス等の糸に鉛質の錘（５０〜７０号）を取り付けて海中に沈め、糸を上下させることにより錘を上下させて、錘をある一定のタイミングで海底の岩（玄武岩、安山岩又は玄武岩質安山岩）に打ちつけた際の音波発振条件と同様の音波発振条件である。そして、本願発明者が検討した結果、２０ミリ秒〜２秒間隔で周波数２０Ｈｚ〜２ｋＨｚの音波を２０ミリ秒〜２秒間間欠的に発振することで、集魚効果が得られることが確認されている。
【００２０】
音波の発振は水中あるいは水面で行うことが好ましい。この場合には、音波の水面での反射による音波の減衰を防いで、発振させた音波を広範囲に伝播させることができる。尚、音波の発振を水に接しない状態で行った場合であっても、発振させた音波の振幅が大きい場合には、音波が水中に入射して集魚効果を得られる場合もある。したがって、音波の発振を水中あるいは水面で行って集魚を行うことには限定されない。
【００２１】
次に、２０ミリ秒〜２秒間隔で周波数２０Ｈｚ〜２ｋＨｚの音波を２０ミリ秒〜２秒間間欠的に発振する音波発振手段を備える集魚装置について、図１〜図４に基づいて具体的に説明する。
【００２２】
図１に示す集魚装置１は、振動により音波を発振させる音波発振手段２を備えるものであり、具体的には、振動発生装置３と、振動発生装置３を制御する振動制御手段７とを少なくとも含むものである。本実施形態では、振動発生装置３と振動制御手段７とが基板８の表面に固定され、基板８は円筒状の筐体１０に収容されている。基板８の裏面には電源部９が備えられ、電源スイッチ１１をオン状態とすることにより振動制御手段７に電源が供給されるように構成されている。
【００２３】
振動発生装置３は、振動を発生することにより２０Ｈｚ〜２ｋＨｚの音波を集魚装置１から発振しうる装置であれば特に限定されるものではない。本実施形態では、振動発生装置３の一例として偏心モータを用いた場合について説明する。
【００２４】
偏心モータ３は、円筒型の直流モータ４と、直流モータの回転軸５と、回転軸５の端部に固着された偏心重り６により構成されている。偏心重り６は回転軸５に対して非対称形状を有しており、その重心が回転軸の軸中心から偏心した位置にある。偏心モータ３を回転させると、回転軸５が偏心運動して遠心力が生じ、その結果、振動が発生する。振動強度は、偏心モータ３の回転数、偏心重り６の重さ及び偏心重り６の重心位置に主に依存し、振動強度の強弱により、音波の周波数が適宜制御される。
【００２５】
偏心モータ３は基板８の表面に接着等により固定されており、偏心モータ３が振動すると、基板８に振動が伝達される。この振動はさらに筐体１０にも伝達される。
【００２６】
偏心モータ３の駆動制御は、基板８に備えられた振動制御手段７により行う。ここで、本実施形態では、偏心モータ３と振動制御手段７の両方を基板８に設けるようにしているが、一方あるいは両方を筐体１０の内面に設けるようにしてもよい。偏心モータ３と振動制御手段７の両方を筐体１０の内面に設けた場合には、基板８を省略できる。
【００２７】
振動制御手段７は、偏心モータ３の回転数を制御する回転数制御部７ａと、偏心モータ３の回転時間を制御する回転時間制御部７ｂとから構成される。
【００２８】
回転数制御部７ａは、例えば電子回路により構成される。この電子回路は、偏心モータ３の回転数をある一定の値に制御するように構成してもよいし、抵抗を可変とするためのスイッチ等を設けて、偏心モータ３の回転数を可変としてもよい。尚、偏心モータ３の規格回転数で所望の周波数の音波が得られる場合には、回転数制御部７ａは省略してもよい。
【００２９】
回転時間制御部７ｂも、例えば電子回路により構成される。この電子回路は、偏心モータ３を２０ミリ秒〜２秒間隔で２０ミリ秒〜２秒間間欠的に回転させる回転制御を行うものであり、この範囲内のある所定の時間で回転制御を行うように構成してもよいし、偏心モータ３の回転時間の設定を変更可能とする切り替えスイッチ等を備えるように構成してもよい。
【００３０】
本実施形態における電源部９には、乾電池が直列で二本収容されているが、この形態に限定されるものではなく、水銀電池やリチウム電池等を使用可能に構成するようにしても良い。
【００３１】
電源スイッチ１１は、オン状態で振動制御手段７に電源を供給できるものであれば特に限定されない。例えば、本実施形態では、基板８の表面に電源スイッチ１１を備えるようにしているが、筐体１０の外側にスイッチ１１を備えるようにしてもよい。また、アンテナ（不図示）を備えるようにして、リモートコントロールにより電源をオンオフ可能に構成してもよい。
【００３２】
筐体１０は、振動発生手段３、振動制御手段７及び電源部９を収容すると共に、これらの漏水による劣化・故障を防止する防水機能を有するものであればよく、形態は特に限定されない。
【００３３】
ここで、基板８と筐体１０の材質は、振動発生装置３で発生した振動を減衰あるいは遮断しないものとすることが好ましい。例えば、プラスチック等を用いることができるが、これに限定されない。集魚装置１は、水に浮かせて使用してもよいし、水に沈めて使用してもよい。例えば、筐体１０の外側に浮きを固着させて水に浮くように構成してもよいし、筐体１０に錘を固着させて水に沈むように構成してもよい。
【００３４】
音波発振手段２は振動により音波を発生させるものに限定されるものではなく、例えば図２に示す音波発振手段２を用いることもできる。
【００３５】
具体的には、音波信号を発生させる電子回路１３と、信号を増幅する増幅手段１４と、増幅された信号を外部出力する発音体１５とを少なくとも含むものである。発音体１５は増幅手段１４を介して電子回路１３と接続されている。また、電源部９から電源が供給される。
【００３６】
電子回路１３は、周波数２０Ｈｚ〜２ｋＨｚの音波信号を２０ミリ秒〜２秒間隔で２０ミリ秒〜２秒間間欠的に発生させるように構成される。電子回路１３としては、例えば音声合成ＩＣが挙げられる。電子回路１３で発生した音波信号は増幅手段１４に入力されて増幅される。増幅手段１４は、例えばアンプである。
【００３７】
増幅手段１４で増幅された音波信号は、発音体１５に入力され、発音体１５から音波発振信号が外部出力されて音波が発振される。発音体１５は、例えば水中スピーカを用いればよいが、音波を水中に伝播できるものであれば、特に限定されない。また、音波の大きさ（振幅強度）を調整するボリューム調整器をさらに備えるようにしてもよい。
【００３８】
図２に示す音波発振手段２を用いることにより、例えば図３（ａ）に示す集魚装置１が構成される。この集魚装置１は、電子回路１３と増幅手段１４とが基板８の表面に固定され、基板８が円筒状の筐体１０に収容され、発音体１５は筐体１０の端部に備えられている。基板８の裏面には電源部９が備えられ、電源スイッチ１１をオン状態とすることにより電子回路１３、増幅手段１４及び発音体１５に電源が供給されるように構成されている。
【００３９】
ここで、筐体１０をその内部への漏水を防止する防水機能を有するものとして、図３（ａ）に示すように、集魚装置１を発音体１５と一体として水に浮かせたり、あるいは沈めて使用するようにしてもよいし、図３（ｂ）に示すように、集魚装置１から発音体１５を切り離し可能として、発音体１５のみを水に浮かせたり、あるいは沈めて使用するようにしてもよい。この場合も、例えば、筐体１０または発音体１５の外側に浮きを固着させて水に浮くように構成してもよいし、筐体１０または発音体１５に錘を固着させて水に沈むように構成してもよい。
【００４０】
また、図４に示す音波発振手段２を用いるようにしてもよい。この音波発振手段２は、音波信号が記録された記録媒体１７と、記録媒体１７に記録された信号を読み取る信号読み取り手段１８と、信号を増幅する増幅手段１４と、増幅された信号を外部出力する発音体１５とを少なくとも含むものである。信号読み取り手段１８は増幅手段１４を介して発音体１５と接続されている。電源部９からは電源が供給される。
【００４１】
記録媒体１７は、例えば、コンパクトディスク（ＣＤ）、カセットテープ、ミニディスク（ＭＤ）、光磁気ディスク（ＭＯ）、デジタルビデオディスク（ＤＶＤ）、ＵＳＢメモリ、フロッピー（登録商標）ディスク、ハードディスクであり、２０ミリ秒〜２秒間隔で周波数２０Ｈｚ〜２ｋＨｚの音波を２０ミリ秒〜２秒間間欠的に発振する音波信号が記録されている。
【００４２】
信号読み取り手段１８は、記録媒体１７に記録された音波信号を読み取ることができるものであれば特に限定されない。例えば、コンパクトディスクプレーヤーやカセットテーププレーヤー等の機器を用いることができる。また、パーソナルコンピュータを用いて、記録媒体１５に記録された音波発振信号を読み取らせることも可能である。また、パーソナルコンピュータのハードディスクに音波信号を記憶させて用いるようにしてもよい。
【００４３】
信号読み取り手段１８で読み取られた音波発振信号は、増幅手段（アンプ）１４を介して発音体１５に伝達され、発音体１５から音波発振信号が外部出力されて音波が発振される。
【００４４】
図４に示す音波発信手段２は、記録媒体１７、信号読み取り手段１８及び増幅手段１４を小型化すれば、図１及び図３に示す集魚装置と同様、非常にコンパクトな集魚装置とすることができる。また、例えば以下のようにして用いることもできる。即ち、船舶の船底に発音体１５を取り付ける。船舶内部、例えば操舵室等に信号読み取り手段１８と増幅手段１４とを設置する。そして、記録媒体１７に記録された信号を信号読み取り手段１８で読み取らせることにより、船底に設置した発音体１５から音波を発振して船舶の周りに魚を誘き寄せることができる。
【００４５】
本発明の集魚装置１は、巻き網、定置網、地引網又は底引き網等の漁業用の網に取り付けたり、網の中に配置して使用することができる。また、延縄漁の延縄や、トロール網に取り付けて使用することもできる。このように、本発明の集魚装置を使用することにより、あらゆる漁業方法の漁獲高を飛躍的に向上させることが可能になる。また、本発明の集魚装置によれば、魚を誘き寄せたい場所に効率よく集魚することができるので、一回の漁にかかる時間を短縮することができ、船舶燃料の節約や計画的操業に対しても貢献することができる。
【００４６】
また、釣り糸に取り付けて浮きとして使用したり、あるいは水中に沈めて使用するようにしてもよい。水中で使用する際には、筐体１０（発音体１５を切り離して用いる場合には発音体１５の表面）にルアーを取り付けたり、あるいは筐体１０（発音体１５を切り離して用いる場合には発音体１５）そのものをルアーとして、内部に音波発振手段２を搭載するようにしてもよい。例えば、音波発振を振動により行う図１の集魚装置の場合には、音波の発振と共に、ルアーが周期的に振動することにより、魚の興味を引きつけやすくなり、さらに効果的な集魚を行うことが可能になる。本発明の集魚装置を魚釣りの際に用いることで、こませ等の撒き餌を用いずとも集魚を行うことができ、磯や岸壁周辺を汚染することが無くなる。また、魚が釣りやすいポイントの探索を行うことなく、魚を誘き寄せて釣りを行うことができるので、初心者でも釣りを楽しみやすくなる。
【００４７】
さらに、本発明の集魚装置１を使用することで、養殖区画を拡大して養殖を行うことが可能になる。即ち、本発明の集魚装置によれば、集魚効果が広範囲に発揮されるので、養殖区画を拡大しても、養殖魚を集魚装置の周辺に集合させることが可能になる。したがって、養殖区画を拡大しても給餌や養殖魚の捕獲を従来と同様に行うことができる。しかも養殖区画に拡大により養殖魚の行動範囲が広がり、養殖魚の運動量を従来よりも高めることにより養殖魚の質を向上させることが可能になる。また、狭い区画で養殖を行うことにより発生しやすい疾病を防ぐことが可能になる。さらに、集魚装置により魚を集合させて一定の場所で給餌を行うことが可能になるので、養殖魚が食べ残した餌の掃除が簡単になり、海底にヘドロ等が堆積するのを防いで、海洋汚染を防止することが可能になる。
【００４８】
なお、上述の形態は本発明の好適な形態の一例ではあるがこれに限定されるものではなく本発明の要旨を逸脱しない範囲において種々変形実施可能である。例えば、筐体１０の内部あるいは筐体１０の表面（発音体１５を切り離して用いる場合には発音体１５の表面）に発光ダイオード等の発光体を取り付けて、光による集魚効果を付加的に利用するようにしてもよい。
【実施例】
【００４９】
以下実施例を挙げて本発明を説明するが、本発明はこれらの実施例に限定されるものではない。
【００５０】
（実施例１）
２００６年２月５日〜２００６年５月３０日にかけて、宮城県牡鹿郡女川町女川湾内（寺間灯台より南７０ｍ地点、水深２５ｍ）にて集魚効果確認実験を行った。音波の発振は、ミチイトに鉛質の錘（７０号）を結びつけてこの錘を海水に沈め、ミチイトを上下することによって水深３ｍ地点の岩（安山岩、玄武岩又は安山岩質玄武岩）に打ちつけることにより行った。集魚状態は目視により観察した。
【００５１】
その結果、１０秒間に６〜７回の一定間隔のペースで錘を岩に打ちつけることにより、魚を音波発振源に誘き寄せる効果があることを確認できた。しかし、この時期の水温は７〜１１℃（水深３ｍ地点）と低温であったため、魚の動きが悪く、十分な実験結果が得られなかった。
【００５２】
そこで、水温がもう少し高い環境での集魚効果を確認するため、２００６年６月２２日に同じ場所で同様の実験を行った。このときの水温は１３〜１４℃（水深３ｍ地点）、気温は１７〜１８℃であった。尚、親潮の流入により、海水が濁っていたため、魚群探知機により集魚状態を確認した。
【００５３】
その結果、２秒間に３〜４回の一定間隔のペースで錘を岩に打ちつけることにより、集魚開始から２〜３分のうちに根魚が音波発振源に集合することが確認された。錘を岩に打ちつけるペースを種々検討したが、０．５秒〜０．６秒程度の間隔で錘を岩に打ちつけることで最も高い集魚効果が得られることが確認された。
【００５４】
次に、２００６年７月１０日に女川湾の地崎港から西北西へ９．５マイル（約２０ｋｍ）の沖合（水深７０〜９０ｍ）で実験を行った。このときの海面水温は１９℃、天候は曇りであった。また、波の高さは１ｍ、風力１．５ｍ／ｓであった。音の発振は、０．５秒〜０．６秒程度の間隔で鉛質の重り（７０号）を岩に打ちつける音を再現した音源を水深４０ｍ付近に沈めたスピーカから発振させて行った。集魚状態は水中にダイビングして確認した。
【００５５】
その結果、音の発振開始から１０分程度で鯖やイルカがスピーカーの周りに集合することが確認された。しかも、スピーカーから５００ｍ程度離れた場所にいた魚が、スピーカーの周りに集合することがわかった。
【００５６】
次に、２００６年７月２７日に同じ場所で実験を行った。このときの海面水温は２１℃、天候は晴れであった。また、波の高さは１．５ｍ、風力２ｍ／ｓであった。音の発振は、７０号の鉛質の錘をミチイトに結びつけて海に沈め、ミチイトを上下させて海底４０〜５０ｍ付近の岩に錘を打ちつけることにより行い、音を発振させながら釣りをおこなうことで集魚効果の確認を行った。
【００５７】
その結果、１分間に４０回程度の一定間隔のペースで錘を岩に打ちつけた際に魚が掛かりやすいことがわかった。しかも、ヒラメ、メバル、アイナメ等、種々の魚が掛かることが確認されたと共に、その個体の大きさも非常に大きいことが確認された。尚、錘を岩に打ちつけるペースをさらに速めようとしたが、ミチイトを上下させて海底４０〜５０ｍ付近の岩に錘を打ちつけるという手法では、１分間に４０回程度の一定間隔のペースで錘を岩に打ちつけるのが限界であった。０．５秒〜０．６秒程度の間隔で錘を岩に打ちつけることができれば、さらに高い集魚効果が得られたものと予想された。
【００５８】
（実施例２）
図１に示した集魚装置を用いて、音波の周波数、音波発振間隔及び音波発振時間を種々変更した場合の集魚効果の確認試験を行った。
【００５９】
試験場所は、東京都港区港南３丁目１番地付近の運河とした。試験期間は、２００６年８月〜１１月とした。試験は、偏心モータにより振動発生を行う形式の集魚装置（図１）を用い、この集魚装置を海水に沈めて行った。
【００６０】
まず、ミチイト又はテグス等の糸に鉛質の錘（５０〜７０号）を取り付けて海中に沈め、糸を上下させることにより錘を上下させて、錘を０．５秒〜０．６秒で海底の岩（玄武岩、安山岩又は玄武岩質安山岩）に打ちつけた際の音波発振条件の特定を行ったところ、音波の周波数は２０〜２００Ｈｚ、音波発振時間は２０ミリ秒〜１００ミリ秒、音波発振間隔は４００ミリ秒〜６００ミリ秒であることが確認された。
【００６１】
そこで、この音波発振条件を集魚装置により再現し、試験を行った。
【００６２】
その結果、数分のうちに数百匹程度の魚が大きな群れをなして集魚装置に直線的に集まった。そして、集魚開始から１０分経過後には、集魚装置を中心に渦を巻くように泳ぎ回ると共に、最終的には腹を見せて踊るように泳ぐことが確認された。
【００６３】
次に、集魚効果を示す音波の周波数の範囲と、音波発振時間の範囲と、音波発振間隔の範囲について検討を行った。
【００６４】
まず、音波の周波数の範囲について検討を行った。音波の周波数を２００Ｈｚ〜２ｋＨｚとし、音波発振時間を２０ミリ秒〜１００ミリ秒、音波発振間隔を４００ミリ秒〜６００ミリ秒として試験を行ったところ、集魚効果は得られるものの、音波の周波数を２０〜２００Ｈｚとした場合の集魚効果と比較すると集魚効果は低減することが確認された。
【００６５】
音波の周波数を２０Ｈｚ未満もしくは２ｋＨｚ超とし、音波発振時間は２０ミリ秒〜１００ミリ秒、音波発振間隔を４００ミリ秒〜６００ミリ秒として試験を行ったところ、魚が遠くに確認できたものの、集魚装置に集合することは確認されなかった。
【００６６】
以上、音波の周波数を２０Ｈｚ〜２ｋＨｚとすれば集魚効果が得られ、２０Ｈｚ〜２００Ｈｚとすることでより高い集魚効果が得られることが明らかとなった。
【００６７】
次に、音波発振時間の範囲について検討を行った。音波発振時間を１００ミリ秒超〜１秒とし、音波の周波数を２０〜２００Ｈｚ、音波発振間隔を４００ミリ秒〜６００ミリ秒として試験を行ったところ、数十匹の魚からなる魚群が集魚装置に向かってまっすぐに泳ぎはじめ、集魚開始から１０分程度で集魚装置の周りに集合することが確認された。
【００６８】
音波発振時間を１秒超〜２秒とし、音波の周波数を２０〜２００Ｈｚ、音波発振間隔を４００ミリ秒〜６００ミリ秒として試験を行ったところ、４,５匹の魚からなる魚群が３群程度、集魚装置を中心に円を描くようにして集魚装置に向かって泳ぎ始め、１０分程度で集魚装置の周りに集合することが確認された。尚、この集魚効果は、音波の周波数を２００Ｈｚ〜２ｋＨｚとし、音波発振間隔を６００ミリ秒超〜１．５秒としてもほとんど変化しなかった。
【００６９】
音波発振時間を２０ミリ秒未満もしくは２秒超とし、音波の周波数を２０〜２００Ｈｚ、音波発振間隔を４００ミリ秒〜６００ミリ秒として試験を行ったところ、魚が遠くに確認できたものの、集魚装置に集合することは確認されなかった。尚、この集魚効果は、音波の周波数を２００Ｈｚ〜２ｋＨｚとし、音波発振間隔を１．５秒超〜２秒としてもほとんど変化しなかった。
【００７０】
以上、音波発振時間を２０ミリ秒〜２秒とすれば集魚効果が得られ、２０ミリ秒〜１秒とすることで集魚効果がより高まり、２０ミリ秒〜１００ミリ秒とすることで集魚効果がさらに高まることが確認された。
【００７１】
次に、音波時間間隔の範囲について検討した。音波時間間隔を６００ミリ秒超〜１．５秒とし、音波の周波数を２０〜２００Ｈｚ、音波発振時間を２０ミリ秒〜１００ミリ秒として試験を行ったところ、数十匹の魚からなる魚群が集魚装置に向かってまっすぐに泳ぎはじめ、集魚開始から１０分程度で集魚装置の周りに集合することが確認された。尚、この集魚効果は、音波の周波数を２００Ｈｚ〜２ｋＨｚとし、音波の発振時間を１００ミリ秒超〜１秒としてもほとんど変化しなかった。
【００７２】
音波時間間隔を１．５秒超〜２秒とし、音波の周波数を２０〜２００Ｈｚ、音波発振時間を２０ミリ秒〜１００ミリ秒として試験を行ったところ、４,５匹の魚からなる魚群が３群程度、集魚装置を中心に円を描くようにして集魚装置に向かって泳ぎ始め、１０分程度で集魚装置の周りに集合することが確認された。尚、この集魚効果は、音波の周波数を２００Ｈｚ〜２ｋＨｚとし、音波発振時間を１秒超〜２秒としてもほとんど変化しなかった。
【００７３】
音波時間間隔を２０ミリ秒未満もしくは２秒超とし、音波の周波数を２０〜２００Ｈｚ、音波発振時間を２０ミリ秒〜１００ミリ秒として試験を行ったところ、魚が遠くに確認できたものの、集魚装置に集合することは確認されなかった。
【００７４】
以上、音波時間間隔を２０ミリ秒〜２秒とすれば集魚効果が得られ、４００ミリ秒〜１．５秒とすることで集魚効果がより高まり、４００ミリ秒〜６００ミリ秒とすることで集魚効果がさらに高まることが確認された。
【００７５】
上記実験の際、様々な魚（鯖、メバル、アイナメ、ヒラメ、イルカ、ボラ）が集魚装置に集合することが確認された。中でも、神経質な魚として知られるボラ類までもが集魚装置に集合したことから、本発明の集魚装置によれば、従来集魚することが難しかった様々な魚を集魚することが可能と考えられる。また、集魚装置から５００ｍ程度離れた場所にいる魚に対しても集魚効果が見られることがこの試験により確認された。したがって、本発明の集魚装置によれば、広範囲に存在する魚を効率よく誘き寄せることが可能である。
【図面の簡単な説明】
【００７６】
【図１】振動により音波を発振する音波発振手段を備えた集魚装置を示す概略図である。
【図２】音波発振手段の一例を示す概略図である。
【図３】図２の音波発振手段を備えた集魚装置を示す概略図であり、図３（ａ）は発音体を一体形成した集魚装置を、図３（ｂ）は発音体を切り離して使用する形態の集魚装置を示す図である。
【図４】音波発振手段の他の例を示す概略図である。
【符号の説明】
【００７７】
１  集魚装置
２  音波発振手段
１３  電子回路
１４  増幅手段
１５  発音体
１７  記憶媒体
１８  信号読み取り手段
【図１】
2008220206.tif 000003
【図２】
2008220206.tif 000004
【図３】
2008220206.tif 000005
【図４】
2008220206.tif 000006